(57)【要約】【課題】施設内の各設備を制御するための各監視ポイントデータに関する情報を平面図、あるいは、系統図上で表示させる際に、より高速に表示させるようにすることができる施設監視装置を提供する。【解決手段】監視ポイントデータに関する情報の表示指示を受け付ける入力受付部１１と、入力受付部１１が表示指示を受け付けるよりも前に、監視ポイントデータに関する情報を除く、監視ポイントデータに関する情報を表示する際に固定的に表示される情報に関する描画データを作成し、保存させておく描画データ作成部１６と、入力受付部１１が表示指示を受け付けた場合に、施設に設置された機器から収集された監視ポイントデータを取得するデータ取得部１２と、描画データ作成部１６が保存させておいた描画データを用いて、データ取得部１２が取得した監視ポイントデータに関する情報を表示させる表示制御部１４とを備えた。【選択図】図２
2017224021.tif 000002
【特許請求の範囲】
【請求項１】
監視ポイントデータに関する情報の表示指示を受け付ける入力受付部と、
前記入力受付部が前記表示指示を受け付けるよりも前に、前記監視ポイントデータに関する情報を除く、前記監視ポイントデータに関する情報を表示する際に固定的に表示される情報に関する描画データを作成し、保存させておく描画データ作成部と、
前記入力受付部が前記表示指示を受け付けた場合に、
施設に設置された機器から収集された監視ポイントデータを取得するデータ取得部と、
前記描画データ作成部が保存させておいた描画データを用いて、前記データ取得部が取得した監視ポイントデータに関する情報を表示させる表示制御部
とを備えた施設監視装置。
【請求項２】
前記表示制御部は、
前記監視ポイントデータに関する情報を前記描画データに重畳表示させたサマリグラフを表示させる
ことを特徴とする請求項１記載の施設監視装置。
【請求項３】
前記表示制御部は、
前記監視ポイントデータに関する情報を、前記施設内の機器の配置に応じたレイアウトで表示させる
ことを特徴とする請求項１または請求項２記載の施設監視装置。
【請求項４】
描画データ作成部が、入力受付部が表示指示を受け付けるよりも前に、監視ポイントデータに関する情報を除く、前記監視ポイントデータに関する情報を表示する際に固定的に表示される情報に関する描画データを作成し、保存させておくステップと、
前記入力受付部が、前記監視ポイントデータに関する情報の表示指示を受け付けるステップと、
前記入力受付部が、前記表示指示を受け付けた場合に、
データ取得部が、施設に設置された機器から収集された監視ポイントデータを取得するステップと、
表示制御部が、前記描画データ作成部が保存させておいた描画データを用いて、前記データ取得部が取得した監視ポイントデータに関する情報を表示させるステップ
とを備えた施設監視方法。
【請求項５】
請求項１記載の施設監視装置と、
施設に設置された機器から監視ポイントデータを収集し、記憶させるデータ収集部を有するサーバとを備え、
前記施設監視装置は、前記サーバにおいて前記データ収集部が記憶させた監視ポイントデータを取得する
ことを特徴とする監視システム。
【発明の詳細な説明】
【技術分野】
【０００１】
この発明は、施設内の機器の監視を行う施設監視装置、施設監視方法、および、当該施設監視装置とサーバとで構成される監視システムに関するものである。
【背景技術】
【０００２】
施設内の設備の運転を監視するための施設監視装置として、従来から、施設内の機器に設定された監視ポイントの状態に関する各監視ポイントデータの情報を、平面図、あるいは、系統図上で画面表示させる技術が知られている。
例えば、プラント等の運転状態を監視する監視、制御するシステムにおいて、プラントにおける圧力、液量、温度等の計測値を収集して記憶しているサーバから当該計測値を取得し、トレンドグラフ化して画面上に表示させる監視・制御装置が知られている（例えば、特許文献１）
【先行技術文献】
【特許文献】
【０００３】
【特許文献１】特開２０１３−１４９１４８号公報
【発明の概要】
【発明が解決しようとする課題】
【０００４】
特許文献１に開示されているような技術では、監視・制御装置において、操作者からトレンドグラフの表示要求が出されると、当該表示要求で指定された計測点について、サーバからデータを取得し、さらに、時間軸、データ軸、進むボタン、戻るボタン等の描画データを作成し、当該描画データとサーバから取得したデータとに基づき作成されたトレンドグラフをディスプレイに表示させるようにしていた。
一方、施設内に設置された機器を監視するための監視システムにおいて、各監視ポイントデータの情報を、平面図、あるいは、系統図上で画面表示させる技術として、監視ポイントの状態や設定値をサマリグラフとして表示させる等、グラフィカルに見せるための機能が使用されており、特に昨今のディスプレイの高解像度化に伴い、１つのサマリグラフに対して、多くの監視ポイントの状態を表示させたいという要望が増えてきている。
しかしながら、上述したような、特許文献１に開示されているような技術を用いて各監視ポイントデータの情報をサマリグラフとして表示させようとすると、例えば、トレンドグラフにおける時間軸等に相当する、平面図や系統図の静止画用のデータ、サマリグラフ上に登録されているポイント一覧および当該ポイントに対する表示や操作権限の情報等の、予め固定されていてリアルタイム性を必要としないデータであっても、操作者からの表示要求が出されてから描画データを作成するようにしているため、例えば、複雑なサマリグラフを表示させようとすればするほど、あるいは、状態を表示させたい監視ポイントの数が増えれば増えるほど、サマリグラフの描画に時間がかかってしまうという課題があった。
また、一般的な技術として、上述したような、平面図や系統図の静止画用のデータ等のリアルタイム性を必要としない描画データをサーバで管理し、操作者からの表示要求が出されてから、監視・制御装置が、監視ポイントの状態を示すデータとともに、当該描画データをサーバから取得し、サマリグラフ化して表示させる技術も知られているが、当該技術においても、リアルタイム性を必要としない描画データを、操作者からの表示要求が出されてからサーバより取得するため、サマリグラフ化する際に時間がかかってしまうという課題があった。
【０００５】
この発明は、上記のような課題を解決するためになされたもので、施設内の各設備を制御するための各監視ポイントデータに関する情報を平面図、あるいは、系統図上でさせる際に、より高速に表示させるようにすることができる施設監視装置、施設監視方法、および、監視システムを提供することを目的としている。
【課題を解決するための手段】
【０００６】
この発明に係る施設監視装置は、監視ポイントデータに関する情報の表示指示を受け付ける入力受付部と、入力受付部が表示指示を受け付けるよりも前に、監視ポイントデータに関する情報を除く、監視ポイントデータに関する情報を表示する際に固定的に表示される情報に関する描画データを作成し、保存させておく描画データ作成部と、入力受付部が表示指示を受け付けた場合に、施設に設置された機器から収集された監視ポイントデータを取得するデータ取得部と、描画データ作成部が保存させておいた描画データを用いて、データ取得部が取得した監視ポイントデータに関する情報を表示させる表示制御部とを備えたものである。
【発明の効果】
【０００７】
この発明によれば、施設内の各設備を制御するための各監視ポイントデータに関する情報を平面図、あるいは、系統図上でさせる際に、より高速に表示させるようにすることができる。
【図面の簡単な説明】
【０００８】
【図１】この発明の実施の形態１に係る施設監視システムの構成を示す図である。
【図２】この発明の実施の形態１に係る施設監視装置の構成図である。
【図３】この発明の実施の形態１に係るサーバの構成図である。
【図４】この発明の実施の形態１に係る施設監視装置の動作を説明するフローチャートである。
【図５】実施の形態１において、施設監視装置が予め記憶している監視ポイント対応表の一例を説明する図である。
【図６】実施の形態１において、表示制御部が表示装置にサマリグラフを表示させた画面の一例を示す図である。
【図７】実施の形態１において、表示制御部が表示装置にサマリグラフを表示させた画面の他の一例を示す図である。
【図８】実施の形態１において、表示制御部が表示装置にサマリグラフを表示させた画面の他の一例を示す図である。
【発明を実施するための形態】
【０００９】
以下、この発明の実施の形態について図面を参照しながら詳細に説明する。
実施の形態１．
図１は、この発明の実施の形態１に係る施設監視システムの構成を示す図である。
施設監視システムは、図１に示すように、施設監視装置１と、サーバ２と、施設内に設置された１つ以上の機器４１，４２，４３，・・・が接続された１台以上のコントローラ３１，３２，３３，・・・と、当該機器４１，４２，４３，・・・と、エンジニアリング装置５とから構成されている。以下、１台以上のコントローラ３１，３２，３３，・・・を、コントローラ３ｎと表わすものとする。また、１つ以上の機器４１，４２，４３，・・・と、機器４ｎと表わすものとする。
施設監視装置１と、サーバ２と、コントローラ３ｎと、エンジニアリング装置５とは、ネットワークを介して接続される。また、コントローラ３ｎと機器４ｎとは、ネットワークを介して接続される。なお、施設監視装置１、サーバ２、コントローラ３ｎ、および、エンジニアリング装置５は、ソフトウェアに基づくＣＰＵを用いたプログラム処理によって実行される。
【００１０】
コントローラ３ｎは、例えば、センサ、温度計、電力計等の機器４ｎから当該機器４ｎに関する温度、湿度、電力量等のデータを収集するものである。この実施の形態１では、機器４ｎのセンサ、温度計、電力計等を監視ポイントといい、当該監視ポイントから収集される、当該監視ポイントの値、すなわち、当該監視ポイントに関するデータを、監視ポイントデータという。
【００１１】
サーバ２は、コントローラ３ｎとの間で、監視ポイント毎に設定された監視周期で通信を行い、コントローラ３ｎから監視ポイントデータを収集し、収集した監視ポイントデータを記憶する。
【００１２】
施設監視装置１は、施設の管理者等からの指示に基づき、サーバ２が記憶している監視ポイントデータを取得して、当該取得した監視ポイントデータに関する情報を平面図、あるいは、系統図上で表示する。
なお、この実施の形態１では、一例として、施設監視装置１は、監視ポイントデータをサマリグラフとして表示させるものとする。
施設の監視者等は、施設監視装置１が表示した監視ポイントデータの情報、すなわち、サマリグラフを監視し、施設内に設置された機器４ｎ等の各設備の監視、制御を行う。
【００１３】
エンジニアリング装置５は、例えば、施設監視装置１設置時等に、サーバ２に対して、監視ポイントデータを収集するコントローラ３ｎの設定、あるいは、施設監視装置１およびサーバ２に対して、監視ポイントデータを表示させる表示制御プログラム等、監視システムを制御するためのプログラムのダウンロード等を行う。
この実施の形態１では、施設監視装置１およびエンジニアリング装置５は、例えば、ＰＣ（Ｐｅｒｓｏｎａｌ  Ｃｏｍｐｕｔｅｒ）を想定している。
【００１４】
図２は、この発明の実施の形態１に係る施設監視装置１の構成図である。
図２に示すように、施設監視装置１は、入力受付部１１と、データ取得部１２と、表示制御部１３と、表示装置１４と、描画データ用記憶部１５と、描画データ作成部１６を備える。
【００１５】
入力受付部１１は、例えば、マウス、キーボード等の入力装置（図示省略）から、監視ポイントデータに関するサマリグラフの表示指示等を受け付ける。
この実施の形態１において、施設等の管理者等は、例えば、監視画面を立ち上げ、表示装置１４に表示された「表示開始ボタン」をマウスでクリックする等により、施設内の各設備の状態、すなわち、施設内の監視ポイントにおける監視ポイントデータの情報を表示装置１４に表示させるための指示を行う。
入力受付部１１は、入力装置からサマリグラフ表示指示を受け付け、受け付けたサマリグラフ表示指示に関する情報をデータ取得部１２および表示制御部１３に出力する。
【００１６】
データ取得部１２は、入力受付部１１から取得したサマリグラフ表示指示に関する情報に基づき、ネットワークを介して、サーバ２から、当該サーバ２が記憶している監視ポイントデータを取得する。なお、この実施の形態１では、データ取得部１２は、サーバ２が記憶している最新の監視ポイントデータを取得するものとする。なお、サーバ２の構成については後述する。
データ取得部１２は、取得した監視ポイントデータを表示制御部１３に出力する。
【００１７】
表示制御部１３は、入力受付部１１からサマリグラフの表示指示に関する情報を取得した場合に、データ取得部１２から監視ポイントデータを取得し、当該監視ポイントデータと、描画データ作成部１６が作成し保存させておいた静止画用データとに基づき、表示装置１４に表示させる表示用データ、すなわち、監視ポイントデータに関する情報を表示させる表示用データを作成し、当該表示用データに基づくサマリグラフを表示装置１４に表示させる。
【００１８】
表示装置１４は、ＣＲＴ（Ｃａｔｈｏｄｅ  Ｒａｙ  Ｔｕｂｅ）、液晶ディスプレイ等であり、表示画面に表示制御部１３が作成した表示用データに基づくサマリグラフを表示する。
【００１９】
描画データ用記憶部１５は、監視対象の施設の階層情報、施設の各階層のフロア平面の情報、施設内の機器４ｎ設置状況の情報、施設内の機器４ｎに設定された監視ポイントの情報等を記憶する。なお、描画データ用記憶部１５が記憶する、監視対象の施設の階層情報等は、例えば施設等の管理者が、エンジニアリング装置５より予め記憶させておく。
【００２０】
描画データ作成部１６は、描画データ用記憶部１５を参照し、リアルタイム性が要求されない情報に関する静止画用データを作成し、施設監視装置１の内部、例えば、施設監視装置１のキャッシュ等、表示制御部１３が参照可能な場所に、当該静止画用データを保存しておく。リアルタイム性が要求されない情報に関する静止画用データとは、例えば、施設のフロア平面図、あるいは、施設の空調系のフロア毎のイメージ図等、施設に応じて固定的に表示される情報を表示させるための描画データであって、サマリグラフを表示させる際の画面のレイアウトのイメージデータである。
すなわち、描画データ作成部１６は、監視ポイントから収集された監視ポイントデータに関する情報を除く情報を表示させるための描画データを、静止画用データとして作成する。
【００２１】
なお、ここでは、図２に示すように、表示装置１４は、施設監視装置１が備えるものとしたが、これに限らず、表示装置１４は、施設監視装置１の外部に備えられるものとし、施設監視装置１は、ネットワークを介して表示装置１４にサマリグラフを表示させるようにしてもよい。
また、ここでは、図２に示すように、描画データ用記憶部１５は、施設監視装置１が備えるものとしたが、これに限らず、描画データ用記憶部１５は、施設監視装置１の外部に備えられるものとし、施設監視装置１は、ネットワークを介して、描画データ用記憶部１５を参照するようにしてもよい。
【００２２】
図３は、この発明の実施の形態１に係るサーバ２の構成図である。
図３に示すように、サーバ２は、データ収集部２１と、監視ポイントデータ記憶部２２とを備える。
【００２３】
データ収集部２１は、コントローラ３ｎから、機器４ｎの時系列の監視ポイントデータを定期的に収集する。なお、ここでは、データ収集部２１は、監視ポイント毎に設定された監視周期で監視ポイントデータを収集するものとするが、これに限らず、データ収集部２１は、コントローラ３ｎから、常時、監視ポイントデータを収集するようにしてもよい。
データ収集部２１は、コントローラ３ｎから収集した監視ポイントデータを、監視ポイントデータ記憶部２２に記憶させる。なお、このとき、データ収集部２１は、収集した監視ポイントデータを、監視ポイントの情報および監視ポイントデータ収集時刻と紐付けて、監視ポイントデータ記憶部２２に記憶させるようにする。
【００２４】
監視ポイントデータ記憶部２２は、データ収集部２１がコントローラ３ｎから収集した監視ポイントデータを記憶する。
【００２５】
図４は、この発明の実施の形態１に係る施設監視装置１の動作を説明するフローチャートである。
施設監視装置１は、電源部（図示省略）に電源が投入されるまで待機し（ステップＳＴ４０１の“ＮＯ”の場合）、電源部に電源が投入されると（ステップＳＴ４０１の“ＹＥＳ”の場合）、描画データ作成部１６は、静止画用データを作成し、当該静止画用データを、例えば、施設監視装置１のキャッシュ等、表示制御部１３が参照可能な場所に保存させる（ステップＳＴ４０２）。
具体的には、描画データ作成部１６は、描画データ用記憶部１５を参照し、監視ポイントデータをサマリグラフとして表示装置１４に表示させる際の画面のレイアウトのイメージデータを、静止画用データとして作成する。すなわち、描画データ作成部１６は、施設のフロア平面図等、固定的に表示される情報を表示させるための描画データを静止画用データとして作成する。このステップＳＴ４０２において、描画データ作成部１６によって、監視ポイントから収集された監視ポイントデータに関する情報を除く情報を表示させるための描画データが、静止画用データとして作成される。
【００２６】
なお、描画データ用記憶部１５には、予め、静止画用データを作成するために必要な情報、例えば、監視対象の施設の階層情報、施設の各階層のフロア平面の情報、施設内の機器４ｎ設置状況の情報、施設内の機器４ｎの監視ポイントの情報等が記憶されている。
描画データ作成部１６は、作成した静止画用データに関する情報を、例えば、施設監視装置１の内部、例えば、施設監視装置１のキャッシュ等、施設監視装置１の表示制御部１３が参照可能な場所（図２においては図示省略）に保存しておく。
なお、描画データ作成部１６は、ステップＳＴ４０２において、必要とされ得るすべてのサマリグラフの種別に対応した静止画用データを作成しておく。すなわち、描画データ作成部１６は、施設等の管理者が、監視ポイントデータの情報を表示させるサマリグラフとして指定し得るすべての種類のサマリグラフに対応した静止画用データを作成しておく。描画データ作成部１６は、静止画用データを保存させておく際には、当該静止画用データが、どのサマリグラフの種別に対応した静止画用データであるかを特定するためのサマリグラフ種別情報を付与して保存させておくようにする。
【００２７】
入力受付部１１は、サマリグラフ表示指示を受け付けたかどうかを判定する（ステップＳＴ４０３）。
この実施の形態１において、施設等の管理者は、施設内の各機器４ｎの状態、すなわち、施設内の監視ポイントにおける監視ポイントデータの情報をサマリグラフとして表示装置１４に表示させたい場合に、例えば、マウス、あるいは、キーボード等の入力装置（図示省略）を操作して、サマリグラフ表示指示を入力する。具体的には、例えば、施設等の管理者は、表示装置１４に表示されているサマリグラフ表示ボタンを押下する等によって、サマリグラフ表示指示を入力する。このとき、施設等の管理者は、あわせて、例えば、７階に設置された機器４ｎの状態を示すサマリグラフ、フロア全体の監視ポイントデータの情報を表示させたサマリグラフ、所定のフロアの空調系統の監視ポイントデータの情報を表示させたサマリグラフ等、どのようなサマリグラフを表示させるかを指定する。このように、管理者は、サマリグラフ表示指示を入力する際に、表示させるサマリグラフの種類を指定する。
入力受付部１１は、入力装置から、施設等の管理者によるサマリグラフ表示指示の情報を受け付ける。
入力受付部１１は、受け付けたサマリグラフ表示指示情報を、データ取得部１２および表示制御部１３に出力する。なお、当該サマリグラフ表示指示の情報には、どの監視ポイントデータの情報をサマリグラフとして表示させるか、あるいは、サマリグラフの種別の指定情報も含まれる。
【００２８】
ステップＳＴ４０３において、サマリグラフ表示指示を受け付けていない場合（ステップＳＴ４０３の“ＮＯ”の場合）、ステップＳＴ４０３の処理を繰り返す。
【００２９】
ステップＳＴ４０３において、サマリグラフ表示指示を受け付けた場合（ステップＳＴ４０３の“ＹＥＳ”の場合）、データ取得部１２は、ネットワークを介して、サーバ２から、当該サーバが記憶している監視ポイントデータを取得する（ステップＳＴ４０４）。具体的には、データ取得部１２は、サマリグラフ表示指示情報に基づき、該当する監視ポイントの最新の監視ポイントデータを、サーバ２の監視ポイントデータ記憶部２２から取得する。
【００３０】
データ取得部１２は、該当する監視ポイントを、予め記憶されている監視ポイント対応表に基づき特定するようにすればよい。
ここで、図５は、実施の形態１において、施設監視装置１が予め記憶している監視ポイント対応表の一例を説明する図である。
例えば、施設監視装置１は、内部に、図５に示すような、施設と当該施設内のフロアと当該フロアに設置された機器４ｎと当該機器４ｎに設定された監視ポイントの情報とが対応付けられて記憶されている。例えば、７階に設置された機器４ｎの状態を示すサマリグラフの表示指示を受け付けた場合、データ取得部１２は、図５に示すような監視ポイント対応表から、該当の施設の７階に設置された機器４ｎの監視ポイントを特定し、当該監視ポイントの監視ポイントデータをサーバ２の監視ポイントデータ記憶部２２から取得するようにすればよい。
この実施の形態１では、データ取得部１２は、サーバ２の監視ポイントデータ記憶部２２に記憶されている最新の監視ポイントデータを取得するものとする。なお、サーバ２の監視ポイントデータ記憶部２２には、上述したように、監視ポイントデータが、監視ポイントの情報および監視ポイントデータ収集時刻と紐付けて記憶されている。データ取得部１２は、当該監視ポイントの情報および監視ポイントデータ収集時刻とから、取得すべき監視ポイントデータを特定するようにすればよい。
データ取得部１２は、取得した監視ポイントデータを表示制御部１３に出力する。
【００３１】
表示制御部１３は、ステップＳＴ４０３において入力受付部１１から取得したサマリグラフ表示指示情報と、ステップＳＴ４０４においてデータ取得部１２から取得した監視ポイントデータと、ステップＳＴ４０２において描画データ作成部１６が作成し、保存させておいた静止画用データとに基づき、表示装置１４に表示させる表示用データを作成し、当該表示用データに基づくサマリグラフを表示装置１４に表示させる（ステップＳＴ４０５）。例えば、７階に設置された機器４ｎの状態を示すサマリグラフの表示指示を受け付けた場合、表示制御部１３は、まず、描画データ作成部１６が予め作成し、保存させておいた静止画用データ、具体的には、７階に設置された機器４ｎの状態を示すサマリグラフを表示させる画面のレイアウトデータを取得する。なお、表示制御部１３は、保存されている静止画用データのうち、どの静止画用データがサマリグラフ表示指示に対応する静止画用データであるかは、静止画用データと対応付けられたサマリグラフ種別情報から判断すればよい。
【００３２】
７階に設置された機器４ｎの状態を示すサマリグラフのレイアウトの画面データとは、例えば、７階のフロア平面図のデータ等である。そして、表示制御部１３は、データ取得部１２から取得した監視ポイントデータに関する情報を、サマリグラフのレイアウトの画面データの所定の位置に重畳表示させた表示用データを作成する。なお、サマリグラフ上において、監視ポイントデータの情報を表示させる位置は予め決められている。具体的には、施設内の機器４ｎ毎に、当該機器４ｎから収集される監視ポイントデータを重畳表示させる位置が予め決められており、表示制御部１３は、監視ポイントデータの情報を、当該監視ポイントデータを計測した監視ポイントが設定された、施設内の機器４ｎの配置に応じた位置に重畳表示させる。
なお、表示制御部１３は、監視ポイントデータがそれぞれどの機器４ｎの監視ポイントから収集されたものであるかを、例えば、監視ポイント対応表（図５参照）から特定すればよい。
そして、表示制御部１３は、作成した表示用データに基づくサマリグラフを表示装置１４に表示させる。
【００３３】
図６は、実施の形態１において、表示制御部１３が表示装置１４にサマリグラフを表示させた画面の一例を示す図である。
図６においては、一例として、施設の７階に設置された機器４ｎの状態を示すサマリグラフの表示指示があった場合の画面を示している。
図６に示すように、サマリグラフは、施設の７階のフロアにおいて、機器４ｎの配置に応じたレイアウトになっている。例えば、各機器４ｎが、実際の配置に応じて、サマリグラフの画面上に、アイコンとして模式的に表示されている。これにより、施設等の管理者は、空調等の配置を直感的に把握することができる。
また、図６において、監視ポイントデータの情報は、値で表示させるようにしており、監視ポイントデータの値は、予め決められた機器４ｎ毎の位置に重畳表示されている（例えば、図６のａ）。
すなわち、例えば、図６のａで示すような値は、データ取得部１２がサーバ２の監視ポイントデータ記憶部２２から取得する監視ポイントデータの値、すなわち、リアルタイム性が要求されるデータであり、それ以外は、サマリグラフ表示指示を受け付けるよりも前に描画データ作成部１６が作成し保存させておいた静止画データ、すなわち、リアルタイム性を必要としないデータによって表わされる画面のレイアウトである。
【００３４】
図６に示すような画面は一例であり、その他にも、例えば、図７に示すように、施設内の所定の階（図７においては４階）の空調系統に関する監視ポイントデータの情報のみをサマリグラフとして表示させるようにすることもできる。図７では、空調用のダクト等、配線あるいは配管等の接続状態や作動系統を明示するサマリグラフとして、該当の監視ポイントデータの情報をサマリグラフ上に表示させるようにしている。
また、図８に示すように、施設内の所定の階（図７においては１階）の一部分に関する監視ポイントデータの情報のみをサマリグラフとして表示させるようにすることもできる。
描画データ作成部１６は、例えば、電源投入時等、施設等の管理者からの表示指示を受け付けるよりも前に、予め、７階の空調系統に関する監視ポイントデータのサマリグラフを表示させる際の画面のレイアウトの描画データ、あるいは、１階の指定された部分に関する監視ポイントデータを表示させる際の画面のレイアウトの描画データを、静止画用データとして作成して保存しておくようにし、表示制御部１３は、当該描画データ作成部１６が保存しておいた静止画用データで示される画面上の、予め決められた位置に、データ取得部１２から取得した監視ポイントデータに関する情報を重畳させてサマリグラフとして表示させる表示用データを作成する。
【００３５】
このように、この実施の形態１の施設監視装置１では、サマリグラフを表示させるために必要な情報のうち、リアルタイム性が要求される情報とリアルタイム性が不要な情報とを区別し、リアルタイム性が不要な情報については、事前に、すなわち、サマリグラフの表示指示を受け付けるよりも前に表示用の描画データを作成し、保存させておくようにした。
具体的には、例えば、フロア平面図、サマリグラフ画面のレイアウト等、監視システム運用中に変更が無く固定的に表示される、リアルタイム性が不要な情報に関しては、予め当該情報を表示させるための描画データを作成し、保存させておくようにした。そして、例えば、機器のＯＮ／ＯＦＦの情報、停電、火災、あるいは、機器のトラブルの情報、温度異常などの警報、電力使用量など課金に関する情報等、監視ポイントの状態によって内容が変わるような、リアルタイム性が要求される監視ポイントデータについては、表示指示を受け付けた際に、サーバ２から取得するようにした。
これにより、サマリグラフを表示する際に、表示指示を受け付けてからリアルタイム性が不要な情報に関する表示用データを作成する、あるいは、当該表示用データをサーバ２から取得する必要がなくなり、当該動作に要する時間を短縮でき、サマリグラフの表示の高速化がはかれる。
【００３６】
なお、この実施の形態１では、電源部に電源が投入された場合に、描画データ作成部１６が静止画用データを作成するものとしたが（図４のステップＳＴ４０１）、これに限らず、例えば、施設の管理者等が、表示装置１４に表示されている準備ボタンをクリックする等し、当該準備ボタンがクリックされた場合に、静止画用データを作成するようにしてもよいし、施設の管理者等が、監視ポイントの状態を表示させる監視画面を立ち上げた場合に、静止画用データを作成するようにしてもよい。描画データ作成部１６は、入力受付部１１がサマリグラフ表示指示を受け付ける（図４のステップＳＴ４０２）よりも前に、静止画用データを作成し、保存させておくようになっていればよい。
【００３７】
以上のように、この実施の形態１によれば、施設内の各設備を制御するための各監視ポイントデータに関する情報を平面図、あるいは、系統図上でさせる際に、より高速に表示させるようにすることができる。
【００３８】
なお、実施の形態１で説明した施設監視装置１は、ビル、工場、プラントなどのあらゆる施設において、Ｉ／Ｏ状態を監視する施設監視装置に適用できる。
【００３９】
また、本願発明はその発明の範囲内において、実施の形態の任意の構成要素の変形、もしくは実施の形態の任意の構成要素の省略が可能である。
【符号の説明】
【００４０】
１  施設監視装置
２  サーバ
５  エンジニアリング装置
１１  入力受付部
１２  データ取得部
１３  表示制御部
１４  表示装置
１５  描画データ用記憶部
１６  描画データ作成部
２１  データ収集部
２２  監視ポイントデータ記憶部
３１，３２，３３，３ｎ  コントローラ
４１，４２，４３，４ｎ  機器
【図１】
2017224021.tif 000003
【図２】
2017224021.tif 000004
【図３】
2017224021.tif 000005
【図４】
2017224021.tif 000006
【図５】
2017224021.tif 000007
【図６】
2017224021.tif 000008
【図７】
2017224021.tif 000009
【図８】
2017224021.tif 000010